(57)【要約】  【課題】  映像出力端子の選択状態に応じて適切な出力映像の解像度を決定するディジタル放送受信装置および信号処理方法を提供する。  【解決手段】  出力端子選択スイッチ１３は、ユーザによってＳＤＴＶ端子１５、ＨＤＴＶ端子１６のうち、どちらが選択されているかを判定回路１７に通知する。また、解像度選択スイッチ１４は、ユーザによって選択されている映像出力の解像度を判定回路１７に通知する。判定回路１７は、出力端子選択スイッチ１３から受信した端子の識別情報と、解像度選択スイッチ１４から受信した解像度から、選択された映像出力端子および接続モニタに関して適切な出力映像の解像度を決定し、それを映像処理回路１２に送信する。映像処理回路１２は、チューナ１１から受信したテレビジョン放送の映像信号を、判定回路１７から受信した解像度の映像信号に変換して出力端子選択スイッチ１３に送信する。【選択図】  図１
2005080030.tif 000002
【特許請求の範囲】
【請求項１】
対応可能な解像度の範囲がそれぞれ定められている複数の出力端子と、
前記複数の出力端子から、モニタが接続されている出力端子を検出する接続検出手段と、
前記モニタに出力する映像の解像度を選択する解像度選択手段と、
前記検出された出力端子の識別情報を前記接続検出手段から取得するとともに、前記選択された解像度を前記解像度選択手段から取得し、前記検出された出力端子が対応可能な解像度の範囲と、前記選択された解像度に基づいて、前記検出された出力端子に接続されている前記モニタに適切な解像度を判定する判定手段と、
ディジタル放送の映像信号を、前記判定手段により判定された解像度に変換する映像処理手段とを有することを特徴とするディジタル放送受信装置。
【請求項２】
請求項１に記載のディジタル放送受信装置において、
前記接続検出手段は、前記出力端子の接続を切り換えるための切り換えスイッチを有し、
前記モニタが接続されている前記出力端子を、前記切り換えスイッチの切り換え状態に基づいて検出し、
前記映像処理手段によって解像度が変換されたディジタル放送の映像信号を受信し、前記モニタが接続されている前記出力端子に当該映像信号を送信することを特徴とするディジタル放送受信装置。
【請求項３】
請求項１に記載のディジタル放送受信装置において、
前記接続検出手段は、前記モニタが接続されている前記出力端子を、前記出力端子からの信号によって検出し、
前記映像処理手段によって解像度が変換されたディジタル放送の映像信号を受信し、前記モニタが接続されている前記出力端子に当該映像信号を送信することを特徴とするディジタル放送受信装置。
【請求項４】
請求項１に記載のディジタル放送受信装置において、
前記複数の出力端子が、少なくとも第１の種類の出力端子と第２の種類の出力端子とからなり、前記第１の種類の出力端子には、Ｄ端子およびコンポーネント端子の少なくとも一方が含まれ、前記第２の種類の出力端子には、Ｓ端子およびコンポジット端子の少なくとも一方が含まれることを特徴とするディジタル放送受信装置。
【請求項５】
請求項１に記載のディジタル放送受信装置において、
前記判定手段は、前記選択された解像度が、前記検出された出力端子が対応可能な解像度の範囲の上限を上回る場合は、前記解像度の範囲の上限を前記適切な解像度として判定し、
前記選択された解像度が、前記検出された出力端子が対応可能な解像度の範囲内である場合は、前記選択された解像度を前記適切な解像度として判定することを特徴とするディジタル放送受信装置。
【請求項６】
請求項２に記載のディジタル放送受信装置において、
前記切り換えスイッチは、ユーザの操作によって切り換えられることを特徴とするディジタル放送受信装置。
【請求項７】
請求項１に記載のディジタル放送受信装置において、
前記解像度選択手段は、ユーザの操作によって解像度が選択されることを特徴とするディジタル放送受信装置。
【請求項８】
対応可能な解像度の範囲がそれぞれ定められている複数の出力端子から、モニタが接続されている出力端子を検出する接続検出ステップと、
前記モニタに出力する映像の解像度を選択する解像度選択ステップと、
前記検出された出力端子の識別情報を取得するとともに、前記選択された解像度を取得し、前記検出された出力端子が対応可能な解像度の範囲と、前記選択された解像度に基づいて、前記検出された出力端子に接続されている前記モニタに適切な解像度を判定する判定ステップと、
ディジタル放送の映像信号を、前記判定ステップにより判定された解像度に変換する映像処理ステップとを有することを特徴とする信号処理方法。
【請求項９】
請求項８に記載の信号処理方法において、
前記接続検出ステップは更に、
前記出力端子の接続を切り換えるための切り換えステップと、
前記モニタが接続されている前記出力端子を、前記切り換えステップによる切り換え状態に基づいて検出するステップと、
前記映像処理ステップによって解像度が変換されたディジタル放送の映像信号を受信し、前記モニタが接続されている前記出力端子に当該映像信号を送信するステップを有することを特徴とする信号処理方法。
【請求項１０】
請求項８に記載の信号処理方法において、
前記接続検出ステップは更に、
前記モニタが接続されている前記出力端子を、前記出力端子からの信号によって検出するステップと、
前記映像処理ステップによって解像度が変換されたディジタル放送の映像信号を受信し、前記モニタが接続されている前記出力端子に当該映像信号を送信するステップを有することを特徴とする信号処理方法。
【請求項１１】
請求項８に記載の信号処理方法において、
前記複数の出力端子が、少なくとも第１の種類の出力端子と第２の種類の出力端子とからなり、前記第１の種類の出力端子には、Ｄ端子およびコンポーネント端子の少なくとも一方が含まれ、前記第２の種類の出力端子には、Ｓ端子およびコンポジット端子の少なくとも一方が含まれることを特徴とする信号処理方法。
【請求項１２】
請求項８に記載の信号処理方法において、
前記判定ステップは、前記選択された解像度が、前記検出された出力端子が対応可能な解像度の範囲の上限を上回る場合は、前記解像度の範囲の上限を前記適切な解像度として判定し、
前記選択された解像度が、前記検出された出力端子が対応可能な解像度の範囲内である場合は、前記選択された解像度を前記適切な解像度として判定することを特徴とする信号処理方法。
【請求項１３】
請求項９に記載の信号処理方法において、
前記切り換えステップは、ユーザの指示によって行われることを特徴とする信号処理方法。
【請求項１４】
請求項８に記載の信号処理方法において、
前記解像度選択ステップは、ユーザの指示によって行われることを特徴とする信号処理方法。
【発明の詳細な説明】
【技術分野】
【０００１】
この発明は、ディジタル放送を受信するディジタル放送受信装置および信号処理方法に関し、特に、受信したディジタル放送の映像を、所定の条件で解像度を変換し出力するディジタル放送受信装置および信号処理方法に関する。
【背景技術】
【０００２】
近年のテレビジョン放送では、ＭＰＥＧ（Moving Picture Experts Group）方式による映像圧縮とディジタル変復調技術を利用したディジタル化が進んでおり、衛星を用いたＣＳ（Communication Satellite）ディジタル放送やＢＳ（Broadcasting Satellite）ディジタル放送が既に行われている。更に、２００３年から、地上波を利用した地上波ディジタル放送も開始される。
【０００３】
このようなディジタル放送においては、高画質のハイビジョン放送（ＨＤＴＶ（High Definition Television））や標準画質放送（ＳＤＴＶ（Standard Definition Television））など、様々な解像度の放送が混在して行われる。
【０００４】
テレビジョン放送を表示するモニタが多く市販されているが、これらのモニタは、ハイビジョン放送に対応したものと、そうでないものとに大別できる。また、これらのモニタは、テレビジョン放送の映像信号を受信するための映像インタフェースを有しており、代表的なものとして、コンポジット端子、Ｓ端子、コンポーネント端子、およびＤ端子がある。Ｄ端子は更に、Ｄ１端子〜Ｄ５端子まで規定されている。
【０００５】
コンポジット端子では、輝度信号（Ｙ）と色信号（Ｃ）をミックスしたコンポジット信号が映像信号として送信される。Ｓ端子では、輝度信号（Ｙ）と色信号（Ｃ）が別々に送信される。また、コンポーネント端子では、色信号（Ｃ）が更にＣｒおよびＣｂという２種の信号に分解されたコンポーネント信号が映像信号として送信される。Ｄ端子では更に、そのコンポーネント信号に加えて、信号フォーマット、アスペクト比、ケーブルの接続有無を示す信号等の制御信号が送信される。映像のクオリティは、一般に、コンポジット端子、Ｓ端子、Ｄ端子、コンポーネント端子の順に高画質となる。
【０００６】
従って、一般的に、高画質の映像を提供するＨＤＴＶ対応のモニタは、Ｄ端子またはコンポーネント端子を備えており、ＳＤＴＶ用のモニタはコンポジット端子やＳ端子を備えている。但し、Ｄ１端子やＤ２端子では、ハイビジョン放送を本来の高画質で見ることができず、単にこれらの端子を備えていても実質的にはＨＤＴＶ対応のモニタということはできない（ＳＤＴＶ対応のテレビジョンの中には、こうしたＤ１端子やＤ２端子を備えるものがある）。しかしながら、本明細書では、Ｄ端子またはコンポーネント端子を有し、ＳＴＢ（Set Top Box）やテレビジョン・チューナ等に接続されているモニタをＨＤＴＶモニタと呼び、コンポジット端子またはＳ端子で接続されているモニタをＳＤＴＶモニタと呼ぶことにする。
【０００７】
図６には、放送の解像度と、Ｄ端子の各規格との対応関係が示されている。○印は、その端子で対応する解像度を表示させることができることを意味し、×印は対応する解像度を表示できないことを意味する。また、解像度における、例えば、４８０や１０８０などの数字は、走査線の数に対応するものであり、末尾の「ｉ」はインタレース、「ｐ」はプログレッシブを表している。走査線の数に対応する数字、４８０、７２０、１０８０は、しばしば、それぞれ５２５、７５０、１１２５と表記される場合があるが、本明細書では、図６に示す表記で統一することにする。解像度の高低を考える場合には、走査線の数のみでなく、インタレース方式であるかプログレッシブ方式であるかも影響する。例えば、７２０ｐは１０８０ｉより解像度が高いということができる。
【０００８】
図６より、Ｄｎ（ｎは１〜５の数字）端子は、ｎが大きいほど、より高い解像度まで対応できる。また、ＳＤＴＶモニタは、４８０ｉより高い解像度の表示を行うことはできない。よって、ＳＤＴＶモニタに提供される映像信号は、４８０ｉ以下の解像度で生成されている必要があり、これより高い解像度の映像信号を表示することはできない。
【０００９】
一方、ディジタル放送を受信してモニタに映像信号を提供するディジタル放送受信装置は、モニタを接続するために複数の種類の端子を備えているものが多い。例えば、ＳＤＴＶモニタを接続するためにコンポジット端子やＳ端子を備え、ＨＤＴＶモニタを接続するためにＤ端子やコンポーネント端子を備える。
【００１０】
ディジタル放送受信装置の中には、映像処理回路の構成や能力によって、ＳＤＴＶモニタとＨＤＴＶモニタの両方に、同時に映像を出力できないものもあり、そのようなディジタル放送受信装置では、どのモニタに（即ち、どの端子に）映像を出力するかを選択するためのスイッチ（以下、出力端子選択スイッチと適宜称する）を備えている。また、どのような解像度で放送を出力するかを選択するスイッチ（以下、解像度選択スイッチと適宜称する）も設けられる。ユーザは、出力端子選択スイッチを操作してモニタが接続されている端子に映像信号を出力するようにし、解像度選択スイッチを操作して当該モニタに表示させる解像度を選択する。
【００１１】
上記解像度の選択は、例えば、４８０ｉや１０８０ｉ等の特定の解像度で固定的に出力するように指定することができ、また、Ｄ１やＤ３等のＤ端子の規格で指定することもできる。ディジタル放送は、様々な解像度で行われるため、特定の解像度で出力するように指定された場合は、その指定された解像度に変換するために画素の補間や間引きが行われる。一方、Ｄ端子の規格によって指定が行われた場合は、例えば、その端子が対応可能な最大の解像度に変換され、あるいはオリジナルの解像度のまま映像信号が出力される。
【００１２】
従来の技術には、複数の入力映像ソースを多画面表示する際に、上記映像ソースを最適化した組み合わせのフォーマットに変換して出力するテレビジョン受信機があり、特許文献１に開示されている。
【００１３】
【特許文献１】特開２００１−２６８４７３号公報
【発明の開示】
【発明が解決しようとする課題】
【００１４】
しかしながら、例えば、出力端子選択スイッチにより、ＳＤＴＶモニタが接続されるコンポジット端子に映像信号が出力されるよう指定されている場合に、解像度選択スイッチにおいて、出力解像度をＤ２やＤ３と選択してしまうと、ＳＤＴＶモニタで出力が可能な解像度以上の解像度の映像信号が出力され、ＳＤＴＶモニタに適切に映像が表示されないという問題が生じる。
【００１５】
出力端子選択スイッチと解像度選択スイッチを独立して操作することができる従来の装置では、上記スイッチの選択の組み合わせによっては、出力端子に適切な映像信号が出力されないというような状況が発生する場合があり、ユーザにとって混乱の原因となっている。
【００１６】
上記の問題を、図７を参照して説明する。図７は、従来のディジタル放送受信装置５０の構成を示すブロック図である。ディジタル放送受信装置５０は、チューナ５１、映像処理回路５２、出力端子選択スイッチ５３、解像度選択スイッチ５４、ＳＤＴＶ端子５５、およびＨＤＴＶ端子５６を備える。
【００１７】
チューナ５１は、ディジタルテレビジョン放送を受信し、受信信号を映像処理回路５２に送信する。解像度選択スイッチ５４は、ユーザの選択に基づいて、４８０ｉや１０８０ｉ等の固定的な解像度、またはＤ１やＤ３等のＤ端子の規格によって表される解像度に対応する信号を、映像処理回路５２に送信する。映像処理回路５２は、チューナ５１から受信した信号からモニタに出力するための映像信号を生成する。このとき、映像処理回路５２は、解像度選択スイッチ５４から解像度に対応する信号を受信し、その解像度で上記映像信号を生成する。映像処理回路５２によって生成された映像信号は、その後、出力端子選択スイッチ５３に送信される。
【００１８】
出力端子選択スイッチ５３は、ユーザによる事前の設定に基づいて、受信した映像信号をＳＤＴＶ端子５５またはＨＤＴＶ端子５６に送信する。ＳＤＴＶ端子５５は、ＳＤＴＶモニタ５７が接続される端子であり、例えば、コンポジット端子やＳ端子である。一方、ＨＤＴＶ端子５６は、ＨＤＴＶモニタ５８が接続される端子であり、例えば、コンポーネント端子やＤ端子である。
【００１９】
ここで、出力端子選択スイッチ５３が、ユーザの指示によって、図７に示すように、受信信号をＳＤＴＶ端子５５側に提供するよう設定されていたとする。その場合に、同じくユーザの指示によって解像度選択スイッチ５４がＤ３やＤ４の解像度に指定されていると、４８０ｉの解像度にのみ対応できるＳＤＴＶ端子５５（ＳＤＴＶモニタ５７）に、１０８０ｉや７２０ｐの高解像度の映像信号が提供されることになり、ＳＤＴＶモニタには適切な映像が表示されない。
【００２０】
従って、この発明の目的は、映像出力端子の選択状態に応じて適切な出力映像の解像度を判定するディジタル放送受信装置および信号処理方法を提供することにある。
【課題を解決するための手段】
【００２１】
この発明は、対応可能な解像度の範囲がそれぞれ定められている複数の出力端子と、複数の出力端子から、モニタが接続されている出力端子を検出する接続検出手段と、モニタに出力する映像の解像度を選択する解像度選択手段と、検出された出力端子の識別情報を接続検出手段から取得するとともに、選択された解像度を解像度選択手段から取得し、検出された出力端子が対応可能な解像度の範囲と、選択された解像度に基づいて、検出された出力端子に接続されているモニタに適切な解像度を判定する判定手段と、ディジタル放送の映像信号を判定手段により判定された解像度に変換する映像処理手段とを有するよう構成される。
【００２２】
この発明は、対応可能な解像度の範囲がそれぞれ定められている複数の出力端子から、モニタが接続されている出力端子を検出する接続検出ステップと、モニタに出力する映像の解像度を選択する解像度選択ステップと、検出された出力端子の識別情報を取得するとともに、選択された解像度を取得し、検出された出力端子が対応可能な解像度の範囲と、選択された解像度に基づいて、検出された出力端子に接続されているモニタに適切な解像度を判定する判定ステップと、ディジタル放送の映像信号を判定ステップにより判定された解像度に変換する映像処理ステップとを有するよう構成される。
【発明の効果】
【００２３】
この発明によれば、映像出力端子の選択状態に応じて適切な出力映像の解像度を判定することができる。この結果、受信する放送の解像度によって映像信号が適切にモニタに表示されたりされなかったりするという不具合を回避できる。また、ディジタル放送の解像度が途中で変化しても、一定の解像度でモニタに映像信号を提供することができる。
【発明を実施するための最良の形態】
【００２４】
最初に、この発明の第１の実施の形態について、図１および図２を参照して説明する。図１は、ディジタル放送受信装置１０の構成を示すブロック図である。ディジタル放送受信装置１０は、チューナ１１、映像処理回路１２、出力端子選択スイッチ１３、解像度選択スイッチ１４、ＳＤＴＶ端子１５、ＨＤＴＶ端子１６、および判定回路１７を備える。
【００２５】
ここで、出力端子選択スイッチ１３は、接続検出手段に対応し、モニタが接続されている出力端子を検出する機能、および出力端子の接続を切り換えるスイッチ機能を含むものである。また、図５に関連して後で説明する端子接続制御部も接続検出手段に対応する。解像度選択スイッチ１４は解像度選択手段に、映像処理回路１２は映像処理手段に対応する。また、判定回路１７、および後で図３、図５に関連して説明するＣＰＵは、判定手段に対応する。
【００２６】
チューナ１１は、ディジタルテレビジョン放送を受信し、受信信号を映像処理回路１２に送信する。
【００２７】
解像度選択スイッチ１４は、ユーザによる解像度の選択に応じて、対応する信号を判定回路１７に送信する。また、出力端子選択スイッチ１３は、ユーザによる事前の設定に基づいて、受信した信号をＳＤＴＶ端子１５またはＨＤＴＶ端子１６に送信するが、この設定の内容、即ち、ユーザが映像出力端子としてＳＤＴＶ端子１５を選択したか、ＨＤＴＶ端子１６を選択したかを表す信号を判定回路１７に送信する。
【００２８】
判定回路１７は、解像度選択スイッチ１４からの解像度を表す信号と出力端子選択スイッチ１３からの端子の選択内容を表す信号を比較して、出力映像の解像度を判定し、その解像度に対応する信号を映像処理回路１２に送信する。その後、映像処理回路１２は、チューナ１１から受信した信号からモニタに出力するための映像信号を生成する。このとき、映像処理回路１２は、判定回路１７から解像度を表す信号を受信し、その解像度で上記映像信号を生成する。
【００２９】
上記出力映像の解像度の判定は、図２の略線図に示す対応表のように行われる。ここで、判定回路１７における解像度の判定と、映像処理回路１２における出力映像の解像度の変換がどのように行われるかを説明する。
【００３０】
判定回路１７は、出力端子選択スイッチ１３においてＳＤＴＶ端子１５が選択されている場合、図２の対応表に示すように、解像度選択スイッチ１４において選択されている解像度に関係なく、映像処理回路１２に対して４８０ｉの解像度を表す信号を送信する。映像処理回路１２がこの解像度を受け取ると、受信したディジタル放送のオリジナル解像度に関係なく、これを４８０ｉの解像度の映像信号に変換する。これは、ＳＤＴＶ端子１５（ＳＤＴＶモニタ１８）が、４８０ｉより高い解像度に対応していないからである。ここで、映像処理回路１２は、４８０ｉの解像度のディジタル放送を受信した場合は、それをそのまま出力端子選択スイッチ１３に送信し、４８０ｉより高い解像度のディジタル放送を受信した場合は、解像度を下げるべく映像信号の変換（ダウン・コンバート）を行った後、当該映像信号を出力端子選択スイッチ１３に送信する。
【００３１】
また、判定回路１７は、出力端子選択スイッチ１３においてＨＤＴＶ端子１６が選択されており、かつ解像度選択スイッチ１４において４８０ｉ等の具体的な解像度が選択されている場合は、図２の対応表に示すように、その選択された解像度を表す信号を映像処理回路１２に送信する。映像処理回路１２がこの解像度を受け取ると、受信したディジタル放送のオリジナル解像度に関係なく、これを判定回路１７から受け取った解像度の映像信号に変換する。これは、ユーザの選択に応じて、解像度を固定的に変換するものである。この場合、映像処理回路１２は、例えば、４８０ｉの解像度のディジタル放送を受信した場合は、それをそのまま出力端子選択スイッチ１３に送信し、４８０ｉより高い解像度のディジタル放送を受信した場合は、解像度を下げるべく映像信号の変換（ダウン・コンバート）を行った後、当該映像信号を出力端子選択スイッチ１３に送信する。
【００３２】
逆に、１０８０ｉのような高解像度を判定回路１７から受け取った場合に、それより低い解像度のディジタル放送を受信したときは、画素の補間処理等を行って解像度を上げる必要がある。
【００３３】
図２に示すように、判定回路１７は、更に別の態様の出力を行う。即ち、出力端子選択スイッチ１３においてＨＤＴＶ端子１６が選択されている場合、解像度選択スイッチ１４においてＤ１、Ｄ２、Ｄ３、Ｄ４、およびＤ５が選択されているときは、それぞれ、４８０ｉ、「４８０ｐ以下」、「１０８０ｉ以下」、「７２０ｐ以下」、および「オリジナル」を表す信号が映像処理回路１２に送信される。ここでは、便宜上、「４８０ｐ以下」等の表現を用いているが、この意味が映像処理回路１２に伝われば、判定回路１７から、どのような信号を送信してもよい。
【００３４】
映像処理回路１２は、例えば、「４８０ｐ以下」を表す信号を判定回路１７から受け取った場合、受信したディジタル放送の解像度が１０８０ｉや７２０ｐであるときは、それらを４８０ｐの解像度の映像信号に変換し、４８０ｐや４８０ｉである場合は、解像度の変換処理は行われない。
【００３５】
図２の対応表は、単なる例示に過ぎず、将来的にどのような解像度、規格が設定されても、同様の対応表を形成することによって対応可能である。
【００３６】
映像処理回路１２によって適切な解像度で生成された映像信号は、その後、出力端子選択スイッチ１３に送信され、選択された端子に向けて伝送される。
【００３７】
ＳＤＴＶ端子１５は、ＳＤＴＶモニタ１８が接続される端子であり、例えば、コンポジット端子やＳ端子である。一方、ＨＤＴＶ端子１６は、ＨＤＴＶモニタ１９が接続される端子であり、例えば、コンポーネント端子やＤ端子である。
【００３８】
上記本実施の形態に関しては、ＳＤＴＶ端子やＨＤＴＶ端子等の現状の規格、およびＳＤＴＶモニタやＨＤＴＶモニタ等の現状の製品、およびＳＤＴＶモニタでは４８０ｉより高い解像度に対応できないという事情に即して説明してきたが、この発明のディジタル放送受信装置を、より一般化して捉えることにより、当該装置が将来、または他の様々な状況で利用可能であることを容易に理解できる。
【００３９】
例えば、ディジタル放送受信装置が、それぞれ異なる解像度に対応可能な複数の出力端子に、それぞれ対応する種類のモニタを接続でき、かつ、どの出力端子にモニタが接続されているかを検知できる場合に、ユーザにより指定された出力解像度と、モニタの接続された出力端子が対応可能な解像度の範囲との間で適切な解像度に調整し、受信したディジタル放送を当該調整後の解像度の映像信号で出力するように構成できる。従って、この発明を、上述した現状の規格や現状の製品等にのみ対応するものと考えるべきではない。
【００４０】
次に、この発明の第２の実施の形態について、図３を参照して説明する。図３は、ディジタル放送受信装置２０の構成を示すブロック図である。ディジタル放送受信装置２０は、チューナ２１、映像処理回路２２、出力端子選択スイッチ２３、解像度選択スイッチ２４、ＳＤＴＶ端子２５、ＨＤＴＶ端子２６、およびＣＰＵ２７を備える。
【００４１】
前述した第１の実施の形態との相違は、適切な解像度の判定を、判定回路１７の代わりにＣＰＵ２７を用いてソフトウエアで制御しようとする点にある。従って、ここでは、当該相違点のみについて説明を行う。
【００４２】
ＣＰＵ２７による判定処理の概要を図４のフローチャートを参照して説明する。最初に、ＣＰＵ２７は、ソフトウエアによる制御の下、ステップＳ１で、解像度選択スイッチ２４からユーザによって指定された解像度を受信する。次に、ステップＳ２において、出力端子選択スイッチ２３から、選択されている端子の識別情報を受信する。
【００４３】
その後、ＣＰＵ２７は、ステップＳ３において、受信した解像度と端子の識別情報を元に適切な解像度を判定するが、判定方法については図２に関連して前述した方法と同様である。
【００４４】
従って、本実施の形態の場合、図２に示した表は、例えば、ＣＰＵ２７からアクセス可能なメモリ（不図示）に、テーブル等の形態で記憶され、ＣＰＵ２７は、このテーブルを検索することによって対応する解像度を判定する。
【００４５】
最後に、ステップＳ４において、判定された解像度を映像処理回路２２に提供する。尚、ここで示したフローチャートは、受信した解像度と端子の識別情報から適切な解像度を求める方法の一例に過ぎず、この方法に限定されるものではない。
【００４６】
図４のフローチャートに示す処理は、例えば、ディジタル放送受信装置２０がテレビジョン放送の受信を開始した時点や、ユーザが解像度選択スイッチ２４または出力端子選択スイッチ２３で選択を行った時点で起動されうる。また、ＣＰＵ２７の動作を制御するソフトウエアのプログラムは、例えば、可搬記録媒体やネットワークを経由してメモリにロードされる。
【００４７】
次に、この発明の第３の実施の形態について、図５を参照して説明する。図５は、ディジタル放送受信装置３０の構成を示すブロック図である。ディジタル放送受信装置３０は、チューナ３１、映像処理回路３２、端子接続制御部３３、解像度選択スイッチ３４、ＳＤＴＶ端子３５、ＨＤＴＶ端子３６、およびＣＰＵ３７を備える。
【００４８】
前述した第２の実施の形態との相違は、出力端子選択スイッチ２３の代わりに、端子接続制御部３３が設置されている点にある。以降、当該相違点について説明を行う。
【００４９】
ＨＤＴＶ端子３６としてＤ端子が利用されうる点は前述の通りであるが、この場合、Ｄ端子の特定のピンから受信される信号によって、ＨＤＴＶモニタ３９等の接続がされているか否かを検出することができる。そこで、端子接続制御部３３は、自動的にＨＤＴＶモニタ３９が接続されているかどうかを判定し、接続を検出した場合は、ＣＰＵ３７に対してＨＤＴＶ端子３６が選択されたものとして端子の識別情報を送出し、接続が検出できない場合は、ＣＰＵ３７に対してＳＤＴＶ端子３５が選択されたものとして端子の識別情報を送出する。
【００５０】
また、端子接続制御部３３は、映像処理回路３２から映像信号を受信した場合にも、前記接続の検出結果に基づいて送信先を判定する。即ち、ＨＤＴＶモニタ３９の接続を検出している場合は、受信した映像信号をＨＤＴＶ端子３６に送出し、そうでない場合はＳＤＴＶ端子３５に送出する。図５に示すモニタの接続状況では、Ｄ端子によってのみ接続を検出できるので、ＨＤＴＶモニタ３９の接続を検出できない場合には、ＳＤＴＶモニタ３８が接続されているものと仮定している。
【００５１】
本実施の形態は、第２の実施の形態を更に改良したものとして構成されているが、第１の実施の形態のように、ＣＰＵ３７に代えて判定回路１７を使用するように構成することもできる。
【図面の簡単な説明】
【００５２】
【図１】この発明の第１の実施の形態に係るディジタル放送受信装置の構成例を示すブロック図である。
【図２】映像処理回路へ出力する解像度を判定するための対応関係を表す略線図である。
【図３】この発明の第２の実施の形態に係るディジタル放送受信装置の構成例を示すブロック図である。
【図４】図３に示すディジタル放送受信装置において、解像度を判定する手順を示したフローチャートである。
【図５】この発明の第３の実施の形態に係るディジタル放送受信装置の構成例を示すブロック図である。
【図６】Ｄ端子の規格と対応する解像度の関係を表す略線図である。
【図７】従来のディジタル放送受信装置の構成例を示すブロック図である。
【符号の説明】
【００５３】
１０，２０，３０・・・ディジタル放送受信装置、１２，２２，３２・・・映像処理回路、１３，２３・・・出力端子選択スイッチ、１５，２５，３５・・・ＳＤＴＶ端子、１６，２６，３６・・・ＨＤＴＶ端子、１４，２４，３４・・・解像度選択スイッチ、１７・・・判定回路、２７，３７・・・ＣＰＵ、３３・・・端子接続制御部、１８，２８，３８・・・ＳＤＴＶモニタ、１９，２９，３９・・・ＨＤＴＶモニタ
【図１】
2005080030.tif 000003
【図２】
2005080030.tif 000004
【図３】
2005080030.tif 000005
【図４】
2005080030.tif 000006
【図５】
2005080030.tif 000007
【図６】
2005080030.tif 000008
【図７】
2005080030.tif 000009